(57)【要約】      （修正有）【課題】ユーザーが、収容した充電池の異常を容易に感知することができる電子機器およびテープ印刷装置を提供する。【解決手段】充電池Ｂを収容する電池収容部と、電池収容部の開放部を覆うと共に、充電池Ｂと接触し当該充電池Ｂの異常膨張に伴って充電池Ｂから圧力を受ける電池カバー３１と、を備え、電池カバー３１の手前面覆装部４１は、所定の位置に形成され、充電池Ｂに接触した接触凸部５１を介した上記圧力によって破壊が生じる脆弱部５２を有する。【選択図】図６
2017126655.tif 000002
【特許請求の範囲】
【請求項１】
充電池を収容する電池収容部と、
前記電池収容部の開放部を覆うと共に、前記充電池と接触し当該充電池の異常膨張に伴って当該充電池から圧力を受ける蓋体と、を備え、
前記蓋体は、所定の位置に形成され、前記圧力によって変形が生じる変形部を有することを特徴とする電子機器。
【請求項２】
前記蓋体は、前記圧力によって変色が生じる変色部を、更に有することを特徴とする請求項１に記載の電子機器。
【請求項３】
充電池を収容する電池収容部と、
前記電池収容部の開放部を覆うと共に、前記充電池の異常発熱に伴う熱によって膨張する蓋体と、を備え、
前記蓋体は、所定の位置に形成され、前記膨張によって変形が生じる変形部を有することを特徴とする電子機器。
【請求項４】
前記蓋体は、前記膨張によって変色が生じる変色部を、更に有することを特徴とする請求項３に記載の電子機器。
【請求項５】
前記変形部は、当該電子機器を把持するための把持領域に形成されることを特徴とする請求項１ないし４のいずれか一項に記載の電子機器。
【請求項６】
充電池を収容する電池収容部と、
前記電池収容部の開放部を覆うと共に、前記充電池と接触し当該充電池の異常膨張に伴って当該充電池から圧力を受ける蓋体と、を備え、
前記蓋体は、所定の位置に形成され、前記圧力によって変形が生じる変形部を有することを特徴とするテープ印刷装置。
【請求項７】
充電池を収容する電池収容部と、
前記電池収容部の開放部を覆うと共に、前記充電池の異常発熱に伴う熱によって膨張する蓋体と、を備え、
前記蓋体は、所定の位置に形成され、前記膨張によって変形が生じる変形部を有することを特徴とするテープ印刷装置。
【発明の詳細な説明】
【技術分野】
【０００１】
本発明は、充電池を収容する電子機器およびテープ印刷装置に関するものである。
【背景技術】
【０００２】
従来、テープ印刷装置として、バッテリーを収容する電池収容部（バッテリーハウジング）と、電池収容部の開放部を覆う蓋体（バッテリーカバー）と、を備えたものが知られている（特許文献１参照）。このテープ印刷装置は、手持ち式で操作可能な装置であり、電池収容部は、テープ印刷装置の底部（裏面部）に配設されている。
【先行技術文献】
【特許文献】
【０００３】
【特許文献１】特開平１１−１２３８４６号公報
【発明の概要】
【発明が解決しようとする課題】
【０００４】
しかしながら、上記従来のテープ印刷装置は、バッテリーである充電池を電池収容部に収容し、蓋体で電池収容部の開放部を閉塞した状態で使用される。すなわち、収容した充電池を蓋体で覆い隠した状態で使用されることになる。そのため、ユーザーが、充電池の異常膨張や異常発熱が感知できないという問題が生じた。このように、充電池の異常膨張や異常発熱が感知できないと、充電池の異常膨張や異常発熱を放置した状態で使用し続けることになり、充電池が破裂や発火等を起こす虞があった。
これに対し、ユーザーが、定期的に、蓋体を開放して充電池の状態を視認することも考えられるが、かかる場合、ユーザーにこの作業を強いることになり、ユーザビリティが著しく低下してしまう。
【０００５】
本発明は、ユーザーが、収容した充電池の異常を容易に感知することができる電子機器およびテープ印刷装置を提供することを課題としている。
【課題を解決するための手段】
【０００６】
本発明の電子機器は、充電池を収容する電池収容部と、電池収容部の開放部を覆うと共に、充電池と接触し当該充電池の異常膨張に伴って当該充電池から圧力を受ける蓋体と、を備え、蓋体は、所定の位置に形成され、圧力によって変形が生じる変形部を有することを特徴とする。
【０００７】
本発明の他の電子機器は、充電池を収容する電池収容部と、電池収容部の開放部を覆うと共に、充電池の異常発熱に伴う熱によって膨張する蓋体と、を備え、蓋体は、所定の位置に形成され、膨張によって変形が生じる変形部を有することを特徴とする。
【０００８】
本発明のテープ印刷装置は、充電池を収容する電池収容部と、電池収容部の開放部を覆うと共に、充電池と接触し当該充電池の異常膨張に伴って当該充電池から圧力を受ける蓋体と、を備え、蓋体は、所定の位置に形成され、圧力によって変形が生じる変形部を有することを特徴とする。
【０００９】
本発明の他のテープ印刷装置は、充電池を収容する電池収容部と、電池収容部の開放部を覆うと共に、充電池の異常発熱に伴う熱によって膨張する蓋体と、を備え、蓋体は、所定の位置に形成され、膨張によって変形が生じる変形部を有することを特徴とする。
【００１０】
これらの構成によれば、収容した充電池が異常膨張や異常発熱すると、これに伴って、蓋体の所定の位置に変形が生じる。そのため、ユーザーは、蓋体の所定の位置に変形が生じるか否かを認識することで、充電池の異常膨張や異常発熱を感知することができる。よって、蓋体の開放等を行わなくとも、収容した充電池の異常膨張や異常発熱を容易に感知することができる。ひいては、使用中であっても、充電池の異常膨張や異常発熱を容易に感知することができる。なお、ここにいう「変形」は、ひび割れ等の破壊を含むものである。
【００１１】
上記の電子機器において、蓋体は、圧力によって変色が生じる変色部を、更に有することが好ましい。
【００１２】
上記の他の電子機器において、蓋体は、膨張によって変色が生じる変色部を、更に有することが好ましい。
【００１３】
これらの構成によれば、充電池の異常膨張や異常発熱に伴って、蓋体の変色部に変色が生じる。そのため、ユーザーが、充電池の異常膨張や異常発熱をより容易に感知することができる。なお、変色部と変形部とは別部分であっても良いし、同一部分であっても良い。すなわち、変形部が、充電池の異常膨張や異常発熱に伴って変色する構成であっても良い。
【００１４】
また、上記の各電子機器において、変形部は、当該電子機器を把持するための把持領域に形成されることが好ましい。
【００１５】
この構成によれば、当該電子機器を把持して使用する時、常に変形部に触った状態となる。そのため、充電池が異常膨張や異常発熱し変形部に変形が生じた際、より早い段階で変形部の変形を認識することができる。よって、ユーザーが、より早い段階で、充電池の異常膨張や異常発熱を感知することができる。
【図面の簡単な説明】
【００１６】
【図１】本発明の一実施形態に係るテープ印刷装置を示した斜視図である。
【図２】テープ印刷装置を示した正面図である。
【図３】テープ印刷装置を示した裏面斜視図である。
【図４】電池カバーを取り外した状態のテープ印刷装置を示した裏面斜視図である。
【図５】電池カバーを示した正面図である。
【図６】電池カバーを示したＡ‐Ａ´線断面図である。
【図７】充電池が異常膨張した時の電池カバーを示した断面図である。
【図８】充電池が異常膨張した時のテープ印刷装置を示した裏面斜視図である。
【図９】第２実施形態における電池カバーを示した正面図である。
【図１０】第２実施形態における電池カバーを示したＢ‐Ｂ´線断面図である。
【発明を実施するための形態】
【００１７】
［第１実施形態］
以下、添付の図面を参照し、本発明の一実施形態に係る電子機器およびテープ印刷装置について説明する。実施形態では、本発明の電子機器を適用したテープ印刷装置を例示する。このテープ印刷装置は、印刷テープに印刷を行ってラベルを作成するラベルプリンターであると共に、充電池を電源とし、ユーザーが手で持って使用するモバイルプリンターである。特に、本テープ印刷装置は、充電池が異常状態になったことを容易に感知できる電池カバーを有するものである。
【００１８】
図１および図２に示すように、テープ印刷装置１は、装置ケース６で外殻が形成され、小型且つ縦長に形成される。具体的には、テープ印刷装置１は、厚肉幅広に形成された先端側の主機構部２と、主機構部２の基端側に連なり、主機構部２より薄肉幅狭に形成されたハンドリング部３と、ハンドリング部３の基端側に連なる持ち手部４と、から成る。本テープ印刷装置１は、ハンドリング部３で、片手或いは両手で手持ちされ操作・使用される。また、本テープ印刷装置１は、持ち手部４を利用して持ち運びされる。
【００１９】
主機構部２の表側には、ディスプレイ部７が広く設けられると共に、ディスプレイ部７に隣接して副キーボード部８が配設される。また、主機構部２には、テープカートリッジＣを着脱自在に装着するためのカートリッジ装着部１０が、窪入形成されると共に、カートリッジ装着部１０を開閉する開閉蓋１１が配設される。本実施形態では、ディスプレイ部７および副キーボード部８が、この開閉蓋１１の表側に形成される。また、カートリッジ装着部１０廻りには、テープカートリッジＣから印刷テープ１２を繰り出すと共にこれに印刷を行う印刷部（図示省略）が内蔵される。
【００２０】
主機構部２の左側面には、印刷部により、印刷テープ１２の印刷済み部分が排出されるテープ排出口１５が形成される。また、テープ排出口１５とカートリッジ装着部１０との間には、印刷テープ１２の印刷済み部分を切り離すカッター１６が内蔵される。一方、主機構部２の右側面には、電源コネクター１８が設けられている（図３および図４参照）。なお、本テープ印刷装置１は、当該電源コネクター１８から供給される電力によって、収容した上記充電池Ｂを充電可能に構成される。
【００２１】
ハンドリング部３の表側には、文字キー２２やカーソルキー２３等を配置した主キーボード部２１が配設される。
【００２２】
一方、ハンドリング部３の裏側には、電源となる充電池Ｂを収容する電池収容部３０が配設されると共に、電池収容部３０の開放部３０ａを開閉自在に覆う電池カバー３１（蓋体）が取り付けられる（いずれも図３および図４参照）。充電池Ｂは、リチウムポリマーバッテリーやリチウムイオンバッテリーで構成され、テープ印刷装置１の制御系および駆動系に対し電力を供給する。
【００２３】
なお、ハンドリング部３の周面のうち、主キーボード部２１が形成された表面部以外の部分は、ユーザーが、テープ印刷装置１を片手或いは両手で把持するための把持領域Ａとなる（図１参照）。すなわち、ユーザーは、当該把持領域Ａで、テープ印刷装置１を片手或いは両手で把持しつつ副キーボード部８や主キーボード部２１を操作して、テープ印刷装置１を使用する。
【００２４】
次に図４ないし図６を参照して、電池収容部３０および電池カバー３１の詳細について説明する。なお、以下の説明では、電池収容部３０を基準として、図４上の手前側を「手前側」とし、図４上の奥側を「奥側」とする。また、図４上の上側を「上」とし、図４上の下側を「下」とする。さらに、図４上の右側を「右」とし、図４上の左側を「左」とする。
【００２５】
図４に示すように、電池収容部３０は、開放部３０ａを有する箱型に形成されており、内部に充電池Ｂを収容し装着する。電池収容部３０の開放部３０ａは、手前面から下面に亘って形成され、当該開放部３０ａを介して、充電池Ｂを電池収容部３０に収容・装着する。そして、開放部３０ａを介して充電池Ｂを電池収容部３０に収容・装着すると、充電池Ｂの電極部と、電池収容部３０の電極部とが接触し、充電池Ｂからテープ印刷装置１の制御系や駆動系に対し、電力を供給可能になる。
【００２６】
一方、電池カバー３１は、電池収容部３０の開放部３０ａを覆うべく、手前面側の手前面覆装部４１と、下面側の下面覆装部４２とから成る側断面「Ｌ」字状に形成される。
【００２７】
手前面覆装部４１の上端部には、一対の係止突起４４が設けられ、この一対の係止突起４４は、装置ケース６に形成された一対の係止孔４５に係止される。また、下面覆装部４２の奥端部には、フック片４６が設けられており、このフック片４６は、装置ケース６に形成されたフック受け４７に係止される。
【００２８】
これら一対の係止突起４４およびフック片４６によって、電池カバー３１が装置ケース６に対し着脱自在に取り付けられる。そして、電池カバー３１を装置ケース６に取り付けることで、電池カバー３１が電池収容部３０の開放部３０ａを覆い、電池収容部３０の開放部３０ａを閉塞する。また、電池カバー３１を装置ケース６から取り外すことで、電池収容部３０の開放部３０ａを開放する。
【００２９】
ところで、この種のテープ印刷装置１では、電池カバー３１が、収容・装着した充電池Ｂを覆い隠す構成となるため、充電池Ｂが異常膨張したとしても、これを感知できないという問題があった。
これに対し、本テープ印刷装置１は、電池カバー３１が、充電池Ｂと接触し当該充電池Ｂの異常膨張に伴って当該充電池Ｂからの圧力を受ける共に、電池カバー３１の所定の位置に、当該圧力によって破壊が生じる脆弱部５２（変形部）を形成した構成を有する。
【００３０】
具体的には、図５および図６に示すように、電池カバー３１は、手前面覆装部４１に、接触凸部５１と、左右一対の脆弱部５２と、が形成される。
【００３１】
接触凸部５１は、手前面覆装部４１の裏面（奥側の面）の左右方向中央に形成され、手前面覆装部４１の裏面から突出して形成される。そして、充電池Ｂを電池収容部３０に収容・装着し、電池カバー３１を取り付けたとき、接触凸部５１は、充電池Ｂに接触する。これによって、充電池Ｂが異常膨張したとき、接触凸部５１を介し電池カバー３１が充電池Ｂからの圧力（押圧力）を受け、手前側（押圧方向）に膨らむように変形する。なお、接触凸部５１は、充電池Ｂを電池収容部３０側に押える押え部としても機能する。
【００３２】
一方、一対の脆弱部５２は、接触凸部５１に対し左右に隣接した所定の位置に、それぞれ形成される。また、各脆弱部５２は、手前面覆装部４１の裏面において上下方向に延在して形成されたＶ溝５３によって形成される。すなわち、手前面覆装部４１の裏面にＶ溝５３を形成し、その部分の強度を低くすることで、脆弱部５２を形成する。なお、各脆弱部５２は、手前面覆装部４１に形成されるため、各脆弱部５２は、把持領域Ａに形成された構成となる。
【００３３】
そして、この一対の脆弱部５２は、充電池Ｂの異常膨張に伴う電池カバー３１の上記変形によって、ひび割れ（破壊）が生じる強度を有する。これによって、収容・装着した充電池Ｂに異常膨張が生じたとき、電池カバー３１の、脆弱部５２が形成された所定の位置にひび割れが生じる（図７および図８参照）。
【００３４】
すなわち、電池収容部３０に充電池Ｂを収容・装着し、電池カバー３１を取り付けた状態で、充電池Ｂに異常膨張が生じると、接触凸部５１を介して、電池カバー３１が充電池Ｂからの圧力を受け、電池カバー３１が変形する。そして、この変形時の応力が、いずれかの脆弱部５２に集中し、この応力集中によって、図７および図８に示すように、脆弱部５２にびび割れが生じる。ユーザーは、このひび割れを、音や触り心地で認識することで、充電池Ｂの異常膨張を感知することができる。
【００３５】
以上、第１実施形態の構成によれば、充電池Ｂの異常膨張に際し、電池カバー３１の表面側の所定の位置に破壊（ひび割れ）が発現するため、ユーザーは、電池カバー３１表面の所定の位置に破壊が生じるか否かを認識することで、充電池Ｂの異常膨張を感知することができる。よって、電池カバー３１の開放等を行わなくとも、収容した充電池Ｂの異常膨張を容易に感知することができる。ひいては、使用中であっても、充電池Ｂの異常膨張を容易に感知することができる。
【００３６】
また、脆弱部５２が、テープ印刷装置１の把持領域Ａに形成されることで、テープ印刷装置１を把持して使用する時、常に脆弱部５２に触った状態となる。そのため、充電池Ｂが異常膨張し脆弱部５２に破壊が生じた際、より早い段階で脆弱部５２の破壊を認識することができる。よって、ユーザーが、より早い段階で、充電池Ｂの異常膨張を感知することができる。
【００３７】
さらに、上記実施形態においては、Ｖ溝５３を電池カバー３１（手前面覆装部４１）の裏面側に形成する構成であるため、電池カバー３１の意匠を損なうことなく、脆弱部５２を形成することができる。ひいては、Ｖ溝５３を電池カバー３１の裏面側に形成することで、電池カバー３１の表面側において、溝の状態からひび割れに変化するのではなく、まっさらな状態からひび割れに変化する構成となる。このように、電池カバー３１の表面側において大きな変化が発現するようになるため、ユーザーが、脆弱部５２の破壊を認識しやすくなる。
【００３８】
なお、上記第１実施形態においては、充電池Ｂの異常膨張に伴う電池カバー３１の変形によって、電池カバー３１の所定の位置に破壊が生じるのみであったが、充電池Ｂの異常膨張に伴う充電池Ｂからの圧力や、充電池Ｂの異常膨張に伴う電池カバー３１の変形によって、電池カバー３１に変色が生じる構成であっても良い。すなわち、電池カバー３１が、充電池Ｂの異常膨張に伴う充電池Ｂからの圧力によって変色が生じる変色部を有する構成であっても良い。例えば、破壊が生じたときにその部分が白色化する材料（樹脂材料等）で、脆弱部５２や電池カバー３１を形成する構成であって良い。また、手前面覆装部４１の表面に感圧材料を配置する構成であっても良い。かかる構成によれば、ユーザーが、充電池Ｂの異常膨張をより容易に感知することができる。なお、脆弱部５２と変色部とは、同一部分であっても良いし、別部分であっても良い。
【００３９】
［第２実施形態］
次に図９および図１０を参照して、本発明の第２実施形態について、第１実施形態とは異なる部分のみ、説明する。第１実施形態のテープ印刷装置１が、電池カバー３１によって、充電池Ｂの異常膨張を感知可能としたものであるのに対し、第２実施形態のテープ印刷装置１は、電池カバー３１によって、充電池Ｂの異常発熱を感知可能としたものである。より言えば、第２実施形態のテープ印刷装置１は、電池カバー３１が、充電池Ｂの異常発熱に伴って熱膨張する共に、所定の位置に、当該熱膨張によって破壊（変形）が生じる脆弱部６２（変形部）を有する。
【００４０】
具体的には、図９および図１０に示すように、第２実施形態の電池カバー３１は、手前面覆装部４１に、上記接触凸部５１と、接触凸部５１に対応する位置の表面側に塗布されたコーティング層６１から成る脆弱部６２と、が形成される。第２実施形態における接触凸部５１は、充電池Ｂの異常発熱に伴う熱を、電池カバー３１（特に手前面覆装部４１の左右方向中央）に伝達（伝導）する役割を担う。これによって、充電池Ｂが異常発熱したとき、接触凸部５１を介し電池カバー３１が充電池Ｂからの熱を受け、熱膨張する。
【００４１】
一方、コーティング層６１は、手前面覆装部４１の表面の左右方向中央の所定の位置に形成され、上下方向に延在して形成される。そして、コーティング層６１は、電池カバー３１が熱膨張したときに破壊が生じるように、手前面覆装部４１より熱膨張率が低い材料で形成される。
【００４２】
すなわち、電池収容部３０に充電池Ｂを収容・装着し、電池カバー３１を取り付けた状態で、充電池Ｂに異常発熱が生じると、異常発熱に伴う充電池Ｂの熱が、接触凸部５１を介して、電池カバー３１に伝達（伝導）され、電池カバー３１が熱膨張する。そして、この熱膨張時に、手前面覆装部４１とコーティング層６１との熱膨張率の差によって、コーティング層６１（脆弱部６２）にひび割れが生じる。ユーザーは、このひび割れを、音や触り心地で認識することで、充電池Ｂの異常発熱を感知することができる。
【００４３】
以上、第２実施形態の構成によれば、充電池Ｂの異常発熱に際し、電池カバー３１の表面側の所定の位置に破壊（ひび割れ）が発現するため、ユーザーは、電池カバー３１表面の所定の位置に破壊が生じるか否かを認識することで、充電池Ｂの異常発熱を感知することができる。よって、電池カバー３１の開放等を行わなくとも、収容した充電池Ｂの異常発熱を容易に感知することができる。ひいては、使用中であっても、充電池Ｂの異常発熱を容易に感知することができる。
【００４４】
なお、上記第２実施形態においては、充電池Ｂの異常発熱に伴う電池カバー３１の熱膨張によって、電池カバー３１の所定の位置に破壊が生じるのみであったが、充電池Ｂの異常発熱に伴う電池カバー３１の熱膨張によって、電池カバー３１に変色が生じる構成であっても良い。すなわち、充電池Ｂの異常発熱に伴う電池カバー３１の熱膨張によって変色が生じる変色部を有する構成であっても良い。例えば、手前面覆装部４１表面の、コーティング層６１が形成される部分を、コーティング層６１とは異なる所定の色とし、コーティング層６１にひび割れが生じると、当該所定の色が発現して変色が生じる構成としても良い。かかる構成によれば、ユーザーが、充電池Ｂの異常発熱をより容易に感知することができる。なお、脆弱部５２と変色部とは、同一部分であっても良いし、別部分であっても良い。
【００４５】
また、上記第２実施形態においては、電池カバー３１が充電池Ｂに接触し、充電池Ｂの異常発熱に伴う熱が直接、電池カバー３１に伝わる構成であったが、異常発熱時の熱によって電池カバー３１が熱膨張する構成であれば、これに限るものではない。すなわち、電池カバー３１が充電池Ｂに接触しない構成とし、空気伝導によって、充電池Ｂの熱が電池カバー３１に伝わる構成であっても良い。
【００４６】
なお、上記各実施形態においては、充電池Ｂが異常状態（異常変形および異常膨張）となったときに電池カバー３１が変形する構成とし、且つ電池カバー３１に上記脆弱部５２、６２を形成する構成であったが、充電池Ｂが異常状態となったときに装置ケース６の一部が変形する構成とし、且つ当該装置ケース６の一部に上記脆弱部５２、６２を形成する構成であっても良い。
【００４７】
また、上記各実施形態においては、脆弱部５２、６２の位置が表面側から認識し難い構成であったが、脆弱部５２、６２の位置が表面側から認識できるように、脆弱部５２、６２の位置を示す指標（目印や枠等）を印刷して、脆弱部５２、６２の位置をユーザーに示す構成であっても良い。ひいては、これに加え、当該位置に破壊が生じたときは充電池Ｂが異常状態である旨のメッセージを、電池カバー３１に印刷する構成であっても良い。
【００４８】
さらに、上記各実施形態においては、電池カバー３１の所定の位置に破壊（ひび割れ）が生じることで、充電池Ｂの異常状態（異常膨張および異常発熱）を感知できる構成であったが、充電池Ｂに異常状態が生じた時に、電池カバー３１の表面側の所定の位置に変形が発現するものであれば、これに限るものではない。例えば、電池カバー３１の所定の位置に、異常膨張や異常発熱に伴って表面側に突出するように変形する変形部が形成され、これによって充電池Ｂの異常（異常膨張および異常発熱）を感知できる構成であっても良い。なお、当該変形は、電源停止等によって、元に戻ってしまうことがないように、不可逆的な変形であることが好ましい。
【００４９】
なお、上記各実施形態においては、テープ印刷装置に、本発明を適用する構成であったが、充電池を収容する電子機器に、本発明を適用する構成であれば、これに限るものではない。例えば、本発明を、携帯電話やスマートフォン、タブレット端末、携帯ゲーム機等に適用しても良い。
【符号の説明】
【００５０】
３１…電池カバー、４１…手前面覆装部、５１…接触凸部、５２…脆弱部、５３：Ｖ溝、Ｂ…充電池
【図１】
2017126655.tif 000003
【図２】
2017126655.tif 000004
【図３】
2017126655.tif 000005
【図４】
2017126655.tif 000006
【図５】
2017126655.tif 000007
【図６】
2017126655.tif 000008
【図７】
2017126655.tif 000009
【図８】
2017126655.tif 000010
【図９】
2017126655.tif 000011
【図１０】
2017126655.tif 000012